(57)【要約】
【課題】構成要素を細分化して、取り扱いやすく、しかも、ボルト止めなどの連結具による簡単な組み付けで、容易に構成できるように工夫した組み立て式の地震耐久ベッドを提供する。
【解決手段】床の長手方向に複数分割した下枠と、これら下枠を連結具で結合して組み立てた床枠に対して、それぞれ、所要の床高さに連結具で結合する支持梁を有する複数の側面フレームと、前記側面フレームで囲まれた長方形の天井部位に設置されるように、それぞれ、前記側面フレームの上辺梁に連結具で結合する複数の上枠と、該上枠上に連結具の結合で装着される複数の屋根ユニットと、前記床枠上に載置される複数の床板とから構成されている。
【選択図】図１
0003099616.tif 000002
【実用新案登録請求の範囲】
【請求項１】
　床の長手方向に複数分割した下枠と、これら下枠を連結具で結合して組み立てた床枠に対して、それぞれ、所要の床高さに連結具で結合する支持梁を有する複数の側面フレームと、前記側面フレームで囲まれた長方形の天井部位に設置されるように、それぞれ、前記側面フレームの上辺梁に連結具で結合する複数の上枠と、該上枠上に連結具の結合で装着される複数の屋根ユニットと、前記床枠上に載置される複数の床板とから構成されていることを特徴とする地震耐久ベッド。
【請求項２】
　前記床枠下の空間に非常用備品、食品を収容する収容部を構成していることを特徴とする、請求項１に記載の地震耐久ベッド。
【請求項３】
　前記側面フレームは、その上辺梁と支柱との間に筋交いを設けると共に、出入り用の部位を除いて、少なくとも側面の下半分に壁板を装着していることを特徴とする、請求項１または２に記載の地震耐久ベッド。
【請求項４】
　前記側面フレームの幾つかには、その下辺梁に、引出可能な担ぎ棒が装備されていることを特徴とする、請求項１に記載の地震耐久ベッド。
【考案の詳細な説明】
【技術分野】
【０００１】
　本考案は、耐震性に優れた天井付きの地震耐久ベッドに係り、特に、家屋崩壊が発生するような大地震において、就寝中の人命の確保を意図した構造の地震耐久ベッドに関するものである。
【背景技術】
【０００２】
　睡眠中に、地震が発生し、家屋崩壊によって、下敷きになり、人命を失う事故が絶えない状況が現出していることから、本出願人は、既に幾つかの地震耐久ベッドを提唱している。
【０００３】
　これらは、ベッドの床を囲むように金属パネルによる壁面、天井面を備えるほぼ箱形の構造をなしたもの、床部分を構成する底部金属パネル、これらを囲む側面金属パネル、天井・屋根をなす天面金属パネルで構成されるものである。
【特許文献１】登録実用新案第３０２１０５６号公報
【特許文献２】登録実用新案第３０２６８１１号公報
【特許文献３】特開平８−２６６３７３号公報
【特許文献４】特開平８−３２２９５６号公報
【特許文献５】特開昭５７−９３０１２号公報
【考案の開示】
【考案が解決しようとする課題】
【０００４】
　本考案は、地震発生時の人命の確保を意図して構成されたもので、特に、その構成要素を細分化して、取り扱いやすく、しかも、ボルト・ナット止めなどの連結具による簡単な組み付けで、容易に構成できるように工夫した、組み立て式の地震耐久ベッドを提供することを目的としている。
【課題を解決するための手段】
【０００５】
　請求項１に記載された、本考案の地震耐久ベッドは、床の長手方向に複数分割した下枠と、これら下枠を連結具で結合して組み立てた床枠に対して、それぞれ、所要の床高さに連結具で結合する支持梁を有する複数の側面フレームと、前記側面フレームで囲まれた長方形の天井部位に設置されるように、それぞれ、前記側面フレームの上辺梁に連結具で結合する複数の上枠と、該上枠上に連結具の結合で装着される複数の屋根ユニットと、前記床枠上に載置される複数の床板とから構成されていることを特徴とする。
【０００６】
　請求項２に記載された、本考案の地震耐久ベッドは、前記床枠下の空間に非常用備品、食品を収容する収容部を構成していることを特徴とする。
【０００７】
　請求項３に記載された、本考案の地震耐久ベッドは、前記側面フレームが、その上辺梁と支柱との間に筋交いを設けると共に、出入り用の部位を除いて、少なくとも側面の下半分に壁板を装着していることを特徴とする。
【０００８】
　請求項４に記載された、本考案の地震耐久ベッドは、前記側面フレームの幾つかの下辺梁に、引出可能な担ぎ棒が装備されていることを特徴とする。
【考案の効果】
【０００９】
　本考案は、このような構成であるから、各構成要素がユニット・パネル化されており、その搬送に際して、梱包を容易、かつ、小型化できるとともに、ボルト・ナット止めなどの連結具によって、簡単に組み立てられるので、設置場所において、素人でも、簡単・確実に地震耐久性ベッドを構成できるメリットが得られる。
【考案を実施するための最良の形態】
【００１０】
　以下、本考案の地震耐久ベッドの実施の形態を図示しながら、具体的に説明する。ここに提示された地震耐久ベッドは、床の長手方向に複数分割した長方形の下枠１ａ、１ｂ、１ｃと、これら下枠をボルト・ナットのような連結具で結合して組み立てた床枠１に対して、それぞれ、所要の床高さに、同じく連結具で結合する支持梁２ｘを有する複数の長方形の側面フレーム２ａ、２ｂ、２ｃと、前記側面フレームで囲まれた長方形の天井部位に設置されるように、それぞれ、前記側面フレームの上辺梁２ｙに連結具で結合する複数の長方形の上枠３ａ、３ｂ、３ｃと、該上枠上に連結具の結合で装着される複数の蒲鉾型の屋根ユニット４ａ、４ｂ、４ｃと、床枠１上に並べて載置される複数の長方形の床板５ａ、５ｂ、５ｃとから構成されている。
【００１１】
　側面フレーム２ａ、２ｂ、２ｃは、それぞれ、その上辺梁２ｙと支柱２ｚとの間に筋交い２ｔを設けると共に、出入り用の部位を持つ側面フレーム２ｂを除いて、少なくとも側面の下半分に、例えば、パンチング・メタルなどの多孔の壁板２ｕを装着している。なお、この実施の形態では、ボルト・ナット結合のために、それぞれの結合個所には、ボルト通し孔（図示せず）が形成されており、結合に際しては、ここにボルト（図示せず）が通され、ナット締めされる。
【００１２】
　また、前記側面フレームの幾つか、即ち、この実施の形態では、側面フレーム２ｃの下辺梁２ｖに、引出可能な担ぎ棒２ｗが装備されていて、組み立て後に、ベッドを移動する際の作業者が持ち上げる手掛かりとすることができる。また、要すれば、これを出して置くことで、地震発生時に、ベッドの左右への安定を高める役目を担うことができる。
【００１３】
　次に、地震耐久ベッドの組み立てを、図面を参照しながら、順序を追って説明する。まず、図２に示すように、下枠１ａ、１ｂ、１ｃを、その側面で接合し、ボルト・ナットなどの連結具（図示せず）で結合する。次に、側面フレーム２ａ、２ｂ、２ｃを、図３に示すように所定位置に立て掛けて、それらの支持梁２ｘと、下枠１ａ、１ｂ、１ｃを、同じく、連結具で結合して組み立てた床枠１とを合わせて、それぞれ、所要の床高さに連結具で結合する。
【００１４】
　そして、図４に示すように、側面フレーム２ａ、２ｂ、２ｃで囲まれた長方形の天井部位に設置されるように、それぞれ、前記側面フレームの上辺梁２ｙに対して、上枠３ａ、３ｂ、３ｃを、連結具で結合する。次いで、図５に示すように、屋根ユニット４ａ、４ｂ、４ｃとを相互に連結具で結合すると共に、上枠３ａ、３ｂ、３ｃ上に載置し、連結具で結合する。そして、最後に、図６に示すように、床枠１上に長方形の床板５ａ、５ｂ、５ｃを並べて載置するのである。これによって、図１に示すような、最終的な地震耐久ベッドを完成することができる。
【００１５】
　なお、図７は、床枠１下の空間に非常用備品（食器、懐中電灯、ラジオ、携帯電話機、その他の必須日用品、脱出用のスコップ、ハンマーなど）、食品（そのまま、飲食に供する保存性加工食品、飲料水など）を収容する収容部を構成している事例の一部を示す分解斜視図である。これにより、仮に、家屋崩壊による生き埋め状態が生じても、身体をベッド内の空間に置き、床板の一部を上げて、生命維持のための必要な食品を確保することができ、状況によっては、そこに備える備品で、脱出を試みるなどの対策も立てられる。
【００１６】
　以上の説明において明らかにしたように、本考案の地震耐久ベッドは、家屋倒壊の際の人命保護を目的とするので、その各構成要素の強度を十分に確保する必要があり、枠部材、柱部材、梁部材などは、アルミなどの金属材、あるいは、これに準ずる強度部材を採用することが好ましい。
【図面の簡単な説明】
【００１７】
【図１】本考案に係る地震耐久ベッドの実施の形態を示す斜視図である。
【図２】その組み立ての第１段階を示す斜視図である。
【図３】その組み立ての第２段階を示す斜視図である。
【図４】その組み立ての第３段階を示す斜視図である。
【図５】その組み立ての第４段階を示す斜視図である。
【図６】その組み立ての最終段階を示す斜視図である。
【図７】非常用食品、備品のための収容部を構成した事例を示す一部斜視図である。
【符号の説明】
【００１８】
　１　　床枠
　１ａ、１ｂ、１ｃ　下枠
　２ａ、２ｂ、２ｃ　側面フレーム
　２ｔ　筋交い
　２ｕ　壁板
　２ｖ　下辺梁
　２ｗ　担ぎ棒
　２ｘ　支持梁
　２ｙ　上辺梁
　２ｚ　支柱
　３ａ、３ｂ、３ｃ　上枠
　４ａ、４ｂ、４ｃ　屋根ユニット
　５ａ、５ｂ、５ｃ　床板
【図１】
0003099616.tif 000003
【図２】
0003099616.tif 000004
【図３】
0003099616.tif 000005
【図４】
0003099616.tif 000006
【図５】
0003099616.tif 000007
【図６】
0003099616.tif 000008
【図７】
0003099616.tif 000009